(57)【要約】      （修正有）【課題】熱交換器からの凝縮水がケーシング外に漏れたり、飛散したりするのを防止することができる室内機を提供する。【解決手段】ケーシング内に、ファン３と、当該ファン３の空気流方向の上流側に配置された熱交換器４と、当該熱交換器４の下方に配置されたドレンパン５とが配設された室内機。前記ドレンパン５は、前記ファン３の下方まで延設されている。【選択図】図４
2018136055.tif 000002
【特許請求の範囲】
【請求項１】
ケーシング（２）内に、ファン（３）と、当該ファン（３）の空気流方向の上流側に配置された熱交換器（４）と、当該熱交換器（４）の下方に配置されたドレンパン（５）とが配設された室内機（１）であって、
前記ドレンパン（５）は、前記ファン（３）の下方まで延設されている、室内機（１）。
【請求項２】
前記ファン（３）による空気流が流れる通風路（１４）が前記ケーシング（２）内に設けられており、当該通風路（１４）内に前記ファン（３）が配置されており、前記通風路（１４）の下方に前記ドレンパン（５）が配設されている、請求項１に記載の室内機（１）。
【請求項３】
前記通風路（１４）が、前記ファン（３）の空気流方向の上流側において当該空気流の両側に配置された仕切板（１５）と、前記ファン（３）の空気流方向の下流側に配置され、前記ケーシング（２）を構成するパネルの空気吹出用開口（７）に接続された吹出ダクト（１６）とを備えている、請求項２に記載の室内機（１）。
【請求項４】
前記吹出ダクト（１６）が固定翼（１２）を有している、請求項３に記載の室内機（１）。
【請求項５】
前記ファン（３）がプロペラファンであり、前記吹出ダクト（１６）が円筒体からなる、請求項３又は請求項４に記載の室内機（１）。
【請求項６】
膨張弁を含む配管部材（１７）と電装ユニット（１８）とが、前記ファン（３）を挟んで両側に配置されている、請求項１〜請求項５のいずれか１項に記載の室内機（１）。
【請求項７】
前記ケーシング（２）が金属製である、請求項１〜請求項６のいずれか１項に記載の室内機（１）。
【請求項８】
前記ケーシング（２）が直方体形状又は立方体形状である、請求項１〜請求項７のいずれか１項に記載の室内機（１）。
【発明の詳細な説明】
【技術分野】
【０００１】
本発明は室内機に関する。さらに詳しくは、工場等において局所的に冷風又は温風を供給するスポットエアコンに好適に用いられる室内機に関する。
【背景技術】
【０００２】
ケーシング内に、ファンと、熱交換器とが横並びに配置された室内機が知られている（例えば、特許文献１参照）。特許文献１記載の空気調和機（室内機）では、図７に示されるように、送風機５１の空気流方向の上流側に熱交換器５２が配置されており、当該熱交換器５２の下方に水受け５３が配置されている。
【０００３】
特許文献１記載の空気調和機では、熱交換器か５２ら落下又は飛散した凝縮水は当該熱交換器５２の下方に配置された水受け５３により収容されるとされている。
【先行技術文献】
【特許文献】
【０００４】
【特許文献１】特開昭６２−１０６２３２号公報
【発明の概要】
【発明が解決しようとする課題】
【０００５】
しかし、特許文献１記載の空気調和機では熱交換器の下方の限られた領域だけにしか水受け、すなわちドレンパンが配置されていないので、送風機の吹出風量が大きくなった場合に、熱交換器からの飛散水がドレンパン外に落下したり、ドレンパンに溜まっていた水がドレンパン外に飛散したりする恐れがある。このような飛散水の落下等が発生すると、送風機や熱交換器が配設されているケーシングから凝縮水が漏れたり、吹出口から凝縮水が機外に飛散したりすることになり、空気調和機を、例えば工場においてスポットエアコンに用いる場合、製造ラインを汚染することになり問題である。
【０００６】
本発明は、このような事情に鑑みてなされたものであり、熱交換器からの凝縮水がケーシング外に漏れたり、飛散したりするのを防止することができる室内機を提供することを目的としている。
【課題を解決するための手段】
【０００７】
本発明の室内機は、
（１）ケーシング内に、ファンと、当該ファンの空気流方向の上流側に配置された熱交換器と、当該熱交換器の下方に配置されたドレンパンとが配設された室内機であって、
前記ドレンパンは、前記ファンの下方まで延設されている。
【０００８】
本発明の室内機では、ドレンパンがファンの下方まで延設されているので、熱交換器から落下した凝縮水だけでなく、ファンにより生成される空気流によって当該熱交換器から飛散した凝縮水も受けることができる。これにより、熱交換器から飛散した凝縮水が当該熱交換器やファンを収容するケーシングから外部に漏れ出すのを防止することができる。
【０００９】
（２）前記（１）の室内機において、前記ファンによる空気流が流れる通風路が前記ケーシング内に設けられており、当該通風路内に前記ファンが配置されており、前記通風路の下方に前記ドレンパンが配設されていることが望ましい。この場合、ファンから吹き出される調和空気は、通風路及びケーシングによって機外の雰囲気と二重に区画される。すなわち、調和空気を二重に断熱することができる。このため、冷房運転する場合にケーシングの外面に結露が生じるのを防止することができる。一方、内側の区画を構成する通風路の外面に結露が生じることも考えられるが、当該通風路の下方にはドレンパンが配設されているので、生じた結露はドレンパン内に落下する。これにより、通風路外面からの結露がケーシング外に漏れ出すのを防止することができる。
【００１０】
（３）前記（１）又は（２）の室内機において、前記通風路が、前記ファンの空気流方向の上流側において当該空気流の両側に配置された仕切板と、前記ファンの空気流方向の下流側に配置され、前記ケーシングを構成するパネルの空気吹出用開口に接続された吹出ダクトとを備えているものとすることができる。この場合、仕切板と吹出ダクトにより構成される通風路内を空気が流れるので、当該空気は、通風路及びケーシングによって機外の雰囲気と二重に区画することができる。
【００１１】
（４）前記（３）の室内機において、前記吹出ダクトが固定翼が有していることが望ましい。この場合、固定翼により吹出ダクト内を流れる空気流を調整することができる。
【００１２】
（５）前記（３）又は（４）の室内機において、前記ファンがプロペラファンであり、前記吹出ダクトが円筒体からなるものとすることができる。この場合、室内機から均一な風速の調和空気を供給することができる。
【００１３】
（６）前記（１）〜（５）の室内機において、膨張弁を含む配管部材と電装ユニットとが、前記ファンを挟んで両側に配置されていることが望ましい。この場合、配管部材と電装ユニットをケーシングにおいてファンを挟んで両側に配置しているので、室内機の小型化を図ることができる。
【００１４】
（７）前記（１）〜（６）の室内機において、前記ケーシングを金属製とすることができる。この場合、室内機の剛性を高め当該室内機の耐力を大きくすることができる。
【００１５】
（８）前記（１）〜（７）の室内機において、前記ケーシングが直方体形状又は立方体形状であることが望ましい。この場合、形状が対称であり、コンパクトであるので、例えば工場の柱や床面への設置や、天井からの吊り下げを容易に行うことができる。
【発明の効果】
【００１６】
本発明の室内機によれば、熱交換器からの凝縮水がケーシング外に漏れたり、飛散したりするのを防止することができる。
【図面の簡単な説明】
【００１７】
【図１】本発明の室内機の一実施形態の斜視図である。
【図２】図１に示される室内機の平面図である。
【図３】図１に示される室内機の正面図である。
【図４】図１〜３に示される室内機のＡ−Ａ線断面説明図である。
【図５】図１〜４に示される室内機の一部省略斜視説明図である。
【図６】固定翼の羽根の横断面説明図である。
【図７】従来の室内機の一例の断面説明図である。
【発明を実施するための形態】
【００１８】
以下、添付図面を参照しつつ、本発明の室内機を詳細に説明する。なお、本発明はこれらの例示に限定されるものではなく、特許請求の範囲によって示され、特許請求の範囲と均等の意味及び範囲内でのすべての変更が含まれることが意図される。
【００１９】
図１は、本発明の一実施形態に係る室内機１の斜視図であり、図２は、図１に示される室内機１の平面図であり、図３は、図１に示される室内機１の正面図である。
室内機１は、直方体形状のケーシング２内にファン３と、熱交換器４と、ドレンパン５とが配設された構成であり、工場等において局所的に冷風又は温風を吹き出すスポットエアコンとして用いられる。
【００２０】
ケーシング２は鋼板又はステンレス板等の金属板で作製されている。使用される金属板の厚さは、本発明において特に限定されないが、ケーシング２に要求される剛性等を考慮すると、通常、１．０〜１．６ｍｍ程度である。ケーシング２は、天板２ａ、底板２ｂ、前板２ｃ、後板２ｄ、及び側板２ｅを備えている。本実施形態では、ケーシング２を構成する前板２ｃ、側板２ｅ等の内面には断熱材６（図４〜５参照）が配設されている。ケーシング２を金属で作製することで当該ケーシング２、すなわち室内機１の剛性を高めて当該室内機２の耐力を大きくすることができる。これにより、ケーシング２が直方体形状であることと相まって、室内機１を複数個積層した状態で使用することもできる。また、直方体形状は、形状が対称であり、コンパクトであるので、例えば工場の柱や床面への設置や、天井からの吊り下げを容易に行うことができるという利点がある。
【００２１】
ケーシング２の前板２ｃには開口７（図４参照）が形成されており、この開口７に短筒形状の吹出口８が取り付けられている。熱交換器４により熱交換された空気（調和空気）は、ファン３によって前記吹出口８から所定の箇所ないし場所に向けて吹き出される。
【００２２】
図４に示されるように、ファン３は羽根車３ａと、当該羽根車３ａを回転させるモータ３ｂとを備えている。羽根車３ａは、４枚の羽根９を備えている。ファン３は、モータ３ｂの回転軸方向に沿って空気が吹き出されるプロペラファンである。モータ３ｂは、機内に立設された取付板１０に固定されている。
【００２３】
図４に示されるように、本実施形態に係る室内機１では、熱交換器４の下方だけでなくファン３の下方にもドレンパン５が配設されている。つまり、ドレンパン５はファン３の下方まで延設されている。ドレンパン５に溜まった凝縮水は、排水口１１（図１〜２参照）に接続された排水管（図示せず）を介して機外に排出される。ドレンパン５は、ファン３の下方まで延設されているので、熱交換器４から落下した凝縮水だけでなく、ファン３により生成される空気流によって当該熱交換器４から飛散した凝縮水も受けることができる。これにより、熱交換器４から飛散した凝縮水が当該熱交換器４やファン３を収容するケーシング２から外部に漏れ出すのを防止することができる。
【００２４】
前記ケーシング２の前板２ｃに形成された開口７の内縁には固定翼１２が配設されている。固定翼１２は、ファン３により生成される空気流方向において羽根車３ａと吹出口８との間に配設されている。固定翼１２の前面側（空気流方向の下流側）にはグリル２０が配設されている。固定翼１２は８枚の羽根１３を有しており、ファン３により生成される空気流の流れを調整する役割を果たしている。具体的に、空気流の流れを、モータ３ｂの回転軸の延長線を想定すると、当該延長線に沿うように調整する役割を果たしている。換言すれば、ファン３により生成される空気流が拡散するのを抑制して、当該空気流の到達距離が大きくなるようにしている。
【００２５】
このため、各羽根１３は、帯状の板材を長手方向の中心線１３ａ（図５〜６参照）に沿って折り曲げた形状を呈している。各羽根１３は、ファン３により生成される空気流方向（図６において左右方向）と略平行な平坦部１３ｂと、当該平坦部１３ｂに対して１４０度程度の鈍角θを成すように折り曲げられた傾斜部１３ｃとを備えている。このような羽根１３を有する固定翼１２をファン３の羽根車３ａの前方に配置することで、羽根車３ａの回転により生成された放射状の空気流は、羽根１３の傾斜部１３ｃにあたり当該傾斜部１３ｃ及び平坦部１３ｂに沿って流れる。これにより、ファン３により生成される空気流の流れを、モータ３ｂの回転軸の延長線に沿うように調整することが可能となる。
【００２６】
本実施形態に係る室内機１では、ケーシング２内に、ファン３によって生成される空気流が流れる通風路１４が形成されている。通風路１４は、仕切板１５と吹出ダクト１６とを備えている。仕切板１５は、ファン３の空気流方向の上流側（図４において左側）、より詳細には、ファン３のモータ３ｂが取り付けられる取付板１０より上流側において前記空気流の両側に配置されている。吹出ダクト１６は、前記取付板１０の空気流方向の下流側に配設されており、前記ケーシング２を構成するパネルである前板２ｃに形成された開口７に接続されている。本実施形態における吹出ダクト１６は、空気流方向の下流側端部に前記固定翼１２を有しており、この固定翼１２を介して開口７に接続されている。
【００２７】
ファン３は、かかる通風路１４内に配設されており、当該ファン３により生成される空気流、換言すれば熱交換器４によって熱交換された調和空気は当該通風路１４、及びケーシング２によって機外の雰囲気と二重に区画される。すなわち、調和空気は二重に断熱されている。このため、室内機１を冷房運転する場合にケーシング２の外面に結露が生じるのを防止することができる。  
【００２８】
一方、内側の区画を構成する通風路１４の外面に結露が生じることも考えられるが、当該通風路１４の下方には、図５に示されるように、ドレンパン５が配設されているので、生じた結露はドレンパン５内に落下する。これにより、通風路１４の外面からの結露がケーシング２外に漏れ出すのを防止することができる。
【００２９】
また、本実施形態に係る室内機１では、図５に示されるように、膨張弁を含む配管部材１７と電装ユニット１８とが、前記ファン３を挟んで両側に配置されている。より詳細には、グリル２０側から見て、ファン３の左側に配管部材１７が配置されており、ファン３の右側に電装ユニット１８が配置されている。このように、配管部材１７と電装ユニット１８をケーシング２内においてファン３を挟んで両側に配置することで、室内機１の小型化を図ることができる。
【００３０】
〔その他の変形例〕
本発明は前述した実施形態に限定されるものではなく、特許請求の範囲内において種々の変更が可能である。
例えば、前述した実施形態では、ケーシングの形状は直方体形状であるが、立方体形状等の他の形状とすることもできる。立方体形状の場合は、直方体形状の場合と同様に、形状が対称であり、コンパクトであるので、工場の床面等への設置を容易に行うことができる。
【００３１】
また、前述した実施形態では、室内機のファンとしてプロペラファンを用いているが、シロッコファン等の他のファンを用いることもできる。
【符号の説明】
【００３２】
１  ：室内機
２  ：ケーシング
２ａ：天板
２ｂ：底板
２ｃ：前板
２ｄ：後板
２ｅ：側板
３  ：ファン
３ａ：羽根車
３ｂ：モータ
４  ：熱交換器
５  ：ドレンパン
６  ：断熱材
７  ：開口
８  ：吹出口
９  ：羽根
１０  ：取付板
１１  ：排水口
１２  ：固定翼
１３  ：羽根
１３ａ：中心線
１３ｂ：平坦部
１３ｃ：傾斜部
１４  ：通風路
１５  ：仕切板
１６  ：吹出ダクト
１７  ：配管部材
１８  ：電装ユニット
５１  ：送風機
５２  ：熱交換器
５３  ：水受け
【図１】
2018136055.tif 000003
【図２】
2018136055.tif 000004
【図３】
2018136055.tif 000005
【図４】
2018136055.tif 000006
【図５】
2018136055.tif 000007
【図６】
2018136055.tif 000008
【図７】
2018136055.tif 000009